(57)【要約】【課題】ロック式の蓋を有する改善された容器を提供すること。【解決手段】ロック式の蓋を備えた端部の開いた容器は、いくつかの特徴を提供し得る。蓋及び容器は協働するねじ山を有する。蓋は、また、下向きに延在する壁からなど前記蓋に連結されたロック機構を有する。容器は、ロック機構の上向きに延在する当接部を用いるなどして、いくつかの実施例では下方から接近可能な停止部を有する。実際、いくつかの実施例は、歯の一部分としての停止部を有し、ロック機構の当接部と接触していない歯の少なくともいくつかが、容器上に蓋を保持するのを助けるように蓋のねじ山と係合する。【選択図】図１
2011235964.tif 000002
【特許請求の範囲】
【請求項１】
開端部及び容器の外側の外壁面から延在する外向きに向いたねじ山を有する容器であって、少なくとも１つの停止部が、前記開端部と前記ねじ山の少なくとも一部分との間に配置される容器と、
蓋を前記容器に対して閉じた構成に固定するように、前記容器の前記外向きに向いたねじ山と協働するように構成される内向きに向いたねじ山を有する下向きに延在する壁を有する蓋と、
前記蓋の前記下向きに延在する壁に連結されたロック機構であって、前記ロック機構が当接部、並びに係合構成及び非係合構成を有し、前記係合構成では、前記当接部が前記少なくとも１つの停止部のうちの少なくとも１つと係合し、前記非係合構成では、前記当接部が前記少なくとも１つの停止部のうちの少なくとも１つと係合しないロック機構と、
前記当接部に動作可能に連結された作動部であって、前記作動部の所定の距離の動きが前記当接部を前記非係合構成に動かす作動部とを備える容器組立体。
【請求項２】
前記容器が、ねじ山部分を提供する外向きに向いた断続的なねじ山を有する、請求項１に記載の容器組立体。
【請求項３】
前記ねじ山が、前記蓋のねじ山との係合のための複数の開始位置を提供する、請求項２に記載の容器組立体。
【請求項４】
前記停止部が、前記ねじ山部分の少なくとも１つに連結される、請求項２に記載の容器組立体。
【請求項５】
前記ロック機構が、前記作動部への前記当接部の連結を少なくとも助ける滑動部をさらに備え、前記作動部を用いた前記滑動部の線形移動が、前記ロック機構を前記係合構成及び非係合構成から変化させる、請求項１に記載の容器組立体。
【請求項６】
前記当接部が、前記係合構成に向かって偏倚される、請求項１に記載の容器組立体。
【請求項７】
前記蓋が、ねじ山部分を提供する断続的なねじ山を有し、前記ロック機構が、ねじ山部分の間に配置される、請求項１に記載の容器組立体。
【請求項８】
前記停止部が、前記容器の外面から延在し、前記当接部が前記非係合構成から前記停止部の下方から上向きの方向に動くことで前記ロック機構の前記当接部と係合する、請求項７に記載の容器組立体。
【請求項９】
前記停止部が、垂直面に終端する傾斜面をそれぞれ有する複数の歯の一部分であり、前記当接部が、前記係合構成では前記歯の１つの前記垂直面と接触する、請求項７に記載の容器組立体。
【請求項１０】
前記歯が、前記ねじ山のピッチのところ又は前記ねじ山のピッチの上方において終端する、請求項９に記載の容器組立体。
【請求項１１】
前記当接部と係合しない少なくともいくつかの歯が、連結されたときに前記容器に前記蓋を保持するのを助けるように、前記蓋の前記ねじ山の少なくともいくつかと協働する、請求項１０に記載の容器組立体。
【請求項１２】
開端部及び容器の外側の外壁面から延在する外向きに向いたねじ山を有する容器であって、少なくとも１つの停止部が、前記容器の前記外側の外壁面から延在する容器と、
蓋を前記容器に対して閉じた構成に固定するように、前記容器の前記外向きに向いたねじ山と協働するように構成される内向きに向いたねじ山を有する下向きに延在する壁を有する蓋と、
前記蓋に動作可能に連結されたロック機構であって、前記ロック機構が当接部、並びに係合構成及び非係合構成を有し、前記係合構成では、上向きの方向に動いた後に、前記少なくとも１つの停止部のうちの少なくとも１つを前記当接部が下方から係合し、前記非係合構成では、前記当接部が前記少なくとも１つの停止部のうちの少なくとも１つと係合しないロック機構と、
前記当接部に動作可能に連結された作動部であって、前記作動部の所定の距離の動きが前記当接部を前記非係合構成に動かす作動部とを備える容器組立体。
【請求項１３】
前記ロック機構が、前記蓋の前記下向きに延在する壁に連結される、請求項１２に記載の容器組立体。
【請求項１４】
前記蓋の前記ねじ山が、断続的なねじ山部分であり、前記ロック機構が、前記蓋の前記下向きに延在する壁の上のねじ山部分の間に配置される、請求項１３に記載の容器組立体。
【請求項１５】
前記少なくとも１つの停止部が、垂直面に終端する傾斜面をそれぞれ有する複数の歯の一部分であり、前記当接部が、前記係合構成では前記歯の１つの前記垂直面と接触する、請求項１２に記載の容器組立体。
【請求項１６】
前記歯が、前記ねじ山のピッチのところ又は前記ねじ山のピッチの上方において終端する、請求項１５に記載の容器組立体。
【請求項１７】
前記当接部と係合しない少なくともいくつかの歯が、連結されたときに前記容器に前記蓋を保持するのを助けるように、前記蓋の前記ねじ山の少なくともいくつかと協働する、請求項１６に記載の容器組立体。
【請求項１８】
開端部及び容器の外側の外壁面から延在する外向きに向いたねじ山、及び停止部を有する容器と、
蓋を前記容器に対して閉じた構成に固定するように、前記容器の前記外向きに向いたねじ山と協働するように構成される内向きに向いたねじ山を有する下向きに延在する壁を有する蓋と、
前記蓋に作動可能に連結されたロック機構であって、前記ロック機構が当接部、並びに係合構成及び非係合構成を有し、前記当接部が、前記係合構成では前記停止部を前記停止部の下方から係合し、前記当接部が、前記非係合構成へと下向きに動かされることによって前記停止部と係合しないロック機構と、
前記当接部に動作可能に連結された作動部であって、前記作動部の所定の距離の動きが前記当接部を前記非係合構成に動かす作動部とを備える容器組立体。
【請求項１９】
前記停止部が、複数の歯の一部分であり、前記当接部と係合していない前記歯の少なくともいくつかが、連結されたときに前記蓋を前記容器に対して保持するのを助けるように、前記蓋の前記ねじ山の少なくともいくつかと協働する、請求項１８に記載の容器組立体。
【請求項２０】
前記ロック機構が、前記蓋の前記下向きに延在する壁に連結され、前記停止部が、前記容器の前記ねじ山の少なくとも一部分に連結される、請求項１８に記載の容器組立体。
【発明の詳細な説明】
【技術分野】
【０００１】
本発明は、ロック式の蓋を有する容器に関し、より詳細には、容器のねじ山の少なくとも一部分の上方に位置し得る及び／又はロック機構の上向きの動きと係合し得る停止部と協働する、おそらくは下向きに延在する壁から蓋に連結されるロック機構を備えた蓋に関する。
【背景技術】
【０００２】
出願人及び他の会社は、いくつかのロック式の蓋のバケツ構造体を開発してきた。これらのロック式の蓋のいくつかは、ロック式の蓋をロックされた構成から解除する引金又は作動部を含む。参照によって全体が本明細書に援用される米国特許第７，５１３，３８４号に提示されるように、機構はバケツに動作可能に連結されている。米国特許第６，７７６，３０２号及び米国特許第５，１４７，０６０号に示されるような他のものは、容器上の１つ又は複数の停止部と係合する、蓋に動作可能に連結されたロック機構を有する。ロック機構を備えた従来技術の蓋のいくつかは、容器から内向きに向いた歯と係合するロック式の蓋機構を有する。少なくとも、米国特許第６，７７６，３０２号は、容器上に外向きに向いた歯を有する。しかしながら、他の従来技術の構造に対するこれらの改善をもってしても、少なくともいくつかの特定の用途に対する、より効果的な構成を提供する必要性がある。
【先行技術文献】
【特許文献】
【０００３】
【特許文献１】米国特許第７，５１３，３８４号
【特許文献２】米国特許第６，７７６，３０２号
【特許文献３】米国特許第５，１４７，０６０号
【発明の概要】
【発明が解決しようとする課題】
【０００４】
したがって、本発明の目的は、ロック式の蓋を有する改善された容器を提供することである。
【０００５】
少なくともいくつかの実施例の別の目的は、少なくともねじ山の一部分の上方に位置し得る容器上の停止部に係合する、蓋の側壁に保持されるロック機構を備えた蓋を有する、改善された容器を提供することである。
【０００６】
本発明の少なくともいくつかの実施例の別の目的は、ロック式の蓋を備えた改善された容器を提供することであり、下方から上向きに動くロック機構の当接部を受ける複数の停止部がロック機構と協働し、この停止部は、バケツの外周部に好ましくは設けられる。
【０００７】
本発明の少なくともいくつかの実施例の目的は、少なくとも１つの停止部と係合する一方で好ましくは停止部に向かって偏倚される線形に作動する当接部を有する蓋に連結する、ロック機構を提供することである。
【課題を解決するための手段】
【０００８】
したがって、本発明の好ましい実施例によれば、蓋と端部の開いた容器とを備える容器組立体が提供され得る。容器に連結された少なくとも１つの停止部と協働するロック機構が、蓋に動作可能に連結されて設けられる。ロック機構は、ロック構成において容器上への蓋の保持を助けるために使用され、ロック機構を解除することによって、その後に容器から蓋を除去できるようになる。ロック部材を非係合構成に動かすことによって、蓋を容器に対して適切な方向にねじることで、蓋は、いくつかの実施例では端部の開いた容器から外され得る。
【０００９】
本発明の好ましい実施例では、ロック部材は、蓋の下垂する側壁に動作可能に連結され、当接部をも提供する、又は当接部に連結される、線形に動作可能な滑動部の形態で設けられ得る。停止部の方へ向いた傾斜面を有する歯の部分などの停止部が、特に当接部がそれに対して偏倚されたときに、ロック機構の当接部と協働する。すると、ロック機構は、当接部と係合したとき、傾斜面に対して一方向に回転できるようになり、一方で、停止部に対して当接部が反対方向へ回転しようとするのを防ぐ。
【００１０】
ロック部材は、好ましくは、滑動部を下向きに動かすことによって外すことができ、当接部が停止部を外し、それによって、当接部の停止部との係合によってそれ以前は妨げられていた方向への回転が可能になる。
【００１１】
歯は、好ましくは下向きに延在し、少なくともいくつかの実施例では、いくつかの実施例におけるねじ山面の一部分を形成し、容器のロック機構の反対側の歯及び／又はその他の当接部と係合しない歯では、容器に対して蓋を締めることを容易にするように、蓋の内向きに向いたねじ山の少なくともいくつかの部分と協働し得る。ロック部材が停止部と係合すると、当業者によって理解され得るように、及び上述のように、ロックされた構成を提供することができる。
【００１２】
本発明の好ましい実施例は、停止部から当接部を取り外すのに有用な作動器でもあり得る滑動部を含むが、他の実施例は、他のやり方で構築され得る。さらに、好ましい実施例は、下垂する壁に固定されたロック機構を含み得る。他の実施例は、蓋の他の部分に連結されたロック機構を提供し得る。最後に、停止部は、好ましくは当接部に対して下方から接近可能であり、上向きに延在及び移動する当接部から係合され得る。
【００１３】
歯及び／又は停止部は、全ての実施例において、係合されていないときに必ずしも蓋のねじ山と協働するように設けられる必要はないが、これは、いくつかの実施例では有用な特徴であり得る。最後に、停止部は、容器の開端部若しくはその下方に延在する１つ又は複数の別個の位置に設けられ、少なくともいくつかの実施例では、好ましくは、縁部及び／若しくはねじ山の少なくとも一部分の上方、並びに／又は、容器のねじ山の回転のねじ山線の上方に設けられ得る。
【００１４】
本発明の特定の特徴及び利点並びに他の目的は、添付の図面に関連する以下の説明から明らかになろう。
【図面の簡単な説明】
【００１５】
【図１】蓋のいくつかの内部の部分が仮想線で示された、蓋が開いた構成にある端部の開いた容器の本発明の好ましい実施例の側面平面図である。
【図２】図１に示される端部の開いた容器に連結された停止部と係合しようとしている、蓋の図１に示す詳細部分Ａを示す図である。
【図３】図１のＢＢ線に沿って取られた断面図である。
【図４】図１に示される蓋の底部の底面図である。
【発明を実施するための形態】
【００１６】
図１は、蓋１２と端部の開いた容器１４とを備える容器組立体１０を示す。ロック構成を有するロック機構１６は、完全に閉じた構成及びロックされた構成にある容器１４に蓋１２が連結されているときに、容器１４からの蓋１２の取り外しを妨げるのに有用である。図１は、容器１４から取り外された蓋１２を示す。ロック機構１６の作動の詳細は、図２〜３を参照して理解されるであろう。
【００１７】
図１及び図４から分かるように、蓋１２は、好ましくは、下向きに延在する壁２２によって囲まれた中央部分１８を有する。蓋は、また、好ましくは、図４にねじ山部分２４、２６、２８、３０として示される内向きのねじ山２０を有する。個々の実施例においてはねじ山部分２４、２６、２８、３０の数を増減することができ、又は連続的なねじ山も用いることができる。図示のようにねじ山部分２４、２６、２８、３０（又はより多い若しくはより少ないねじ山部分）を用いることによって、当業者は、外向きに向いたねじ山３２を有する容器１４について開始位置を様々な位置にし得ることを認識するであろう。実際、容器１４は、また、当業者によって理解され得るように、最初にねじ山部分３４及び３８と接触及び協働し、次に回転するとともにねじ山部分３６及び４０と接触するように進むように、ねじ山部分２４、２６、２８、３０などのねじ山２０と協働するねじ山部分３４、３６、３８及び／又は４０を有し得る。このやり方では、蓋１２がたとえ容器１４の頂部のどこに置かれようとも、完全に閉じた位置に蓋を配置するように蓋１２を回すために必要な回転量は、様々な他の実施例に対して連続的なねじ山２０及び／又は３２が用いられた場合よりも、通常、かなり少なくなり得る。出願人は、この特徴を断続的なねじ山と称し、本願全体においてねじ山部分２４、２６、２８、３０及び３４、３６、３８、４０などのねじ山部分について説明する。ねじ山部分３８、４０及び／又はその他は、また、当業者によって理解され得るように、ねじ山部分２４、２６、２８、３０によって提供される開始位置とは無関係に、いくつかの開始位置を提供し得る。
【００１８】
より少ない又はより多いねじ山部分が、蓋１２又は容器１４のいずれかに設けられ得る。また、３４、３６、３８、４０などのねじ山部分が、図１に示される容器１０の反対側に延在することが当業者には理解されよう。さらに、上側のねじ山部分３４、３８の必ずしも全てが、図示のように及びさらに詳細に以下に説明されるように停止部４２を有する必要はない。さらに、停止部４２の他の部分は、図示のようにねじ山部分３４、３８と一体である必要はなく、その代わりに、リップ４４の上方、好ましくは、ねじ山部分４０又は別の場所などのねじ山の底面４８から直線的に離れて延在するねじ山線４６などのねじ山回転線の上方の任意の場所に配設され得る。したがって、図１に示すように、停止部４２は、さらに詳細に以下に説明されるように、ねじ山線４６のところ又はその上方、及び容器１４の頂部８２の下方に配置される。
【００１９】
ロック機構１６は、図示のように下向きに延在する壁２２に成形及び／又は連結され得る１つ又は複数の腕部４８、５０を用いるなどして、図１及び４に示すように、蓋１２の下向きに延在する壁２２に連結された状態で示される。蓋１２及び／又は壁２２をロック機構１６に連結する他の連結部が、本実施例及び／又は他の実施例に用いられ得る。腕部４８、５０に連結されているのは、ロック機構１６の一部分として示される肩部５２、５４であり得る。ロック機構１６の他の部分は、他の実施例では、やはり、並びに／又は、代替として、壁２２及び／若しくは蓋１２に連結され得る。肩部５２、５４が使用される場合、肩部５２、５４は、当業者には連結部として理解され得る、腕部５０の一部分を中に受ける受け口５６を提供し得る。こうして、ロック機構１６は下向きに延在する壁２２に直接連結される。様々な実施例では、蓋１８の下向きに延在する壁２２及び／又は他の部分にロック機構１６を連結するように、他の連結機構が設けられ得る。
【００２０】
ロック機構１６は、用いられる場合には、滑動部５８などの滑動部をも提供することができ、滑動部５８は、筐体６０の中に部分的に受けられてよく、筐体６０に対する滑動部５８の線形移動を可能にし得る作動部６２によって部分的に制御される。線形に偏倚されない場合、滑動部５８はまた、ばね６４を用いるなどして、容器１４上に設けられるような１つ又は複数の停止部４２を最終的に係合するように当接部７４を優先的に向ける位置に偏倚され得る。筐体６０内の滑動部５８から協働する突起６６、６８、７０、７２の形態で設けられ得る保持器は、筐体６０内に滑動部５８を保持する１つのやり方を提供する。いくつかの実施例では、この特徴を必ずしも若しくはこのやり方で提供する必要はなく、又は、異なる実施例では異なるやり方で行われてもよい。
【００２１】
停止部４２は、好ましくは、多くの実施例において、複数の停止部４２のうちの少なくとも１つと係合する当接部７４を備えた滑動部５８と好ましくは上向きに下方から係合可能である。蓋１２は、歯８０の傾斜面７８によって偏向されるように滑動部５８の第１面７６を向ける反時計回りの方向にねじることができ、このため、時計回りの方向に回したときには、滑動部５８は、その方向に回転するときにさらに締まることを妨げない。最終的には、容器の頂部８２は、用いられる場合には隆起部８４などの蓋１２の底面、蓋１２の中央１８、又は他の構造体に接触し得る。リップ４４と接触する蓋１２の底部８６が、したがって、さらに締まるのを防ぐことも可能となる。他の機構は、他の実施例において用いられ得る。
【００２２】
滑動部５８は、筐体の溝穴９０の中に受けられる延長した足部８８を設けることによるなどして、筐体６０に対して保持される及び／又は移動することが助けられ得る。その他の特徴が、様々な他の実施例において、筐体に対して滑動部５８のそのような案内を容易にするために用いられるか、又は用いられなくてよい。
【００２３】
垂直面８１を提供する歯８０の形態として設けられる複数の停止部４２など、少なくとも１つの停止部４２が設けられ得る。停止部４２は、また、いくつかの実施例では、好ましくは、ねじ山部分３８の一部分として、及び／又はその代わりに設けられ得る。停止部４２は、好ましくは、また、縁部４４の上方にあるねじ山線４６、及び／若しくは、ねじ山部分４８全体でない場合はねじ山部分４８の一部分の上方にありながら頂部８２の下にあるようなねじ山３２の少なくとも一部分のところ又はその上方に配置され得る。
【００２４】
図及び説明から分かるように、時計回りの方向などに蓋１２を容器１０に対して回転させることによって、蓋１２は、容器１４に好ましくは取り付けられる。ロック機構１６は、継続的に回転している限り、最終的に１つ又は複数の停止部４２と係合する。ロック機構１６は、好ましくは、その方向へのさらなる回転を妨げない。しかしながら、たとえ一時的にでも回転が停止され、反時計方向などの反対方向の回転が試みられると、当接部７４は、上向きの方向に動いた後などに、下方からなど停止部４２と係合し、それによって、使用者が、好ましくは、滑動部５８を用いるなどして所定の距離だけ下向きに作動部６２を動かすまで、ロックされた構成を提供する。当接部７４は、こうして、停止部４２から下向きに外され、それによって、容器１２の蓋１２を緩めること及び／又は容器１４に対して蓋１０を取り外すことを容易にする、反時計回りの方向への回転が可能になる。他のロック機構１６は、異なるやり方で作動し得る。
【００２５】
出願人は、図示の実施例に設けられているように、下向きに接近可能な停止部４２を設けるいかなる従来の試みも承知していない。さらに、出願人は、ロック機構の線形に作動する当接部７４によって接近可能な下向きに接近可能な停止部４２を設けるいかなる従来の試みも承知していない。さらに、出願人はまた、容器１４上で停止部４２に下方から係合する、蓋１２に連結された上向きに係合するロック部材１６、特に線形に作動するロック機構１６を設けるいかなる従来の試みも承知していない。さらに、出願人は、容器１４のリップ４４の上方に、特に上記の部分４８などのねじ山４８の少なくとも一部分の上方に、及び／又はねじ山線４６のところ若しくはその上方に、停止部４２を設けるいかなる従来の試みも承知していない。特に、停止部４２は、容器１４の頂部８２と部分４０又は少なくともその一部分との間に配置され得る。
【００２６】
当業者は、本明細書に開示される構造体の多くの変更例を想起するであろう。しかしながら、本開示は、例示の目的のためのみであり本発明の制限として解釈されるべきではない本発明の好ましい実施例に関することを理解されたい。本発明の精神から逸脱しないこのような全ての変更は、添付の特許請求の範囲の範囲内に含まれることが意図される。
【００２７】
本発明の本質をこのように述べた上で、以下の特許請求の範囲を主張する。
【図１】
2011235964.tif 000003
【図２】
2011235964.tif 000004
【図３】
2011235964.tif 000005
【図４】
2011235964.tif 000006
【外国語明細書】
2011235964000001.pdf